(57)【要約】      （修正有）【課題】実際に行った実施事例、現地の組立状況の画像を集積し組立管理、技術資料、営業資料として利用することができる組立管理方法を提供する。【解決手段】主機が集積している情報を、携帯端末機に伝達し、現場で必要な情報を得て組立支援を行い、実際に行われている現地の組立状況を携帯端末機で撮影し画像を主機に伝達し、集積した組立状況を、技術資料、営業資料等に活用し、必要とする現場で、実施された組立事例を画像で表示し、関係者、作業員、近隣住民に分かり易い技術情報となり、更に解体作業では組立時の情報を基に解体計画に活用した、組立管理方法である。【選択図】図１
2008310781.tif 000002
【特許請求の範囲】
【請求項１】
主機が送信する組立情報を携帯端末機で表示し現地で組立支援に用い、現場で実施された組立状況を携帯端末機で撮影し主機に送信し、これらの組立実施事例を集積し、技術資料、営業資料として利用するのを特徴とする、組立管理方法。
【請求項２】
請求項１記載の組立管理方法であって、主機が送信する組立情報を携帯電話で表示し、メール機能で相互に情報伝達を行うのを特徴とする、組立管理方法。
【請求項３】
請求項１記載の組立管理方法であって、現地の組立状況を適時に携帯端末機から、主機に送信し、これらの集積した情報を一般ユーザーも受信する事が出来るのを特徴とする、組立管理方法。
【発明の詳細な説明】
【技術分野】
【０００１】  この発明は、構造物の組立、解体、修理の現場で実施された情報を集積した主機と携帯端末機を用いて支援を行う方法であり、構造物の組立、解体に関する。
【背景技術】
【０００２】  従来の組立管理は、組立中のトラブル、改造、改善箇所等の集積が行われず、経験、失敗を活かす方法が無く、標準の技術資料を用いる為、施工中に突然発生する計画変更、トラブル、アクシデントに対応が遅れ、緊急事態に過去に経験した技術情報を必要な時、必要な場所で、得る事が出来ない。【０００３】  これまで、構造物の組立に当たり、過去の資料が無く、近隣対策としての説明が不十分であり、実際に行った貴重な経験と技術情報を活かす方法が無い為、これらの組立工事に関する情報開示がされてない。
【特許文献１】  特許公開平６−８３８４０
【特許文献２】  特許公開２００３−２２３０９４
【発明の開示】
【発明が解決しようとする課題】
【０００４】  従来、構造物を組立る際、組立手順書、搬入計画等の図書資料は紙で作成され、事前打ち合せに用いられているが、実際に行った実施事例、現地の組立状況の画像を集積し組立管理、技術資料、営業資料として利用する方法が無かった。
【課題を解決するための手段】
【０００５】  この発明は、図１、２、５に示すように、主機が集積している情報を、携帯端末機に伝達し、現場で必要な情報を得て組立支援を行い、実際に行われている現地の組立状況を携帯端末機で撮影し画像を主機に伝達し、集積した組立状況を、技術資料、営業資料等に活用し、必要とする現場で、実施された組立事例を画像で表示し、関係者、作業員、近隣住民に分かり易い技術情報となり、更に解体作業では組立時の情報を基に解体計画に活用した、組立管理方法である。
【発明の効果】
【０００７】  この発明の組立管理方法は、情報を必要とする現場へ誰もが理解出来る技術資料として、関連業者、作業員等への周知と確認が素早く伝達が出来る。【０００８】  この発明の組立管理方法は、過去の実施事例、修理、改造等の事例の少ない技術を画像として集積する事で、技術の伝承が進み、コストが低減される。【０００９】  この発明の組立管理方法は、実施した組立、解体状況の画像は事例集として集積し、画像として提供する資料は、地域住民、一般ユーザー等、誰も分かり易い説明資料となる。
【発明を実施するための最良の形態】
【００１０】  この発明は、図１、７、８に示すように、主機が集積している携帯電話、携帯端末機から送信された実施事例、過去の資料を活用して組立計画書を作成し、集積された技術情報を現場の携帯電話、携帯端末機に伝達し組立支援を行い、実際に行われている現地の組立状況を携帯電話、携帯端末機で撮影し主機に伝達し、これらの集積した情報を技術資料、営業資料等に反映し、実施事例として画像で表示し、作業員、関係者に分かり易い組立計画となり、更に解体作業時は組立時の情報を基に解体計画にも活用した、組立管理方法。
【実施例１】
【００１１】    図１に示すように、工場にて部材８ｂを積み込み時の情報を携帯端末機２ａで撮影し主機１ａに伝達、組立を行う現地では携帯端末機３ｂを用いて、搬入される部材８ａの認識と玉掛け、組立手順等の周知と確認後、荷卸しを行い、実際に施工中の組立状況を携帯端末機３ｂで撮影し、情報を主機１ａに伝達、集積、抽出を行い、実際に行った実施事例を次回の組立、又は解体に活かし誰もが分かり易い技術情報を提供する、組立管理方法。
【実施例２】
【００１２】  図２に示すように一般公道にて、時間制限の中でクレーン６ｃを組立、又は解体を行う時、リフター２２の設置位置、輸送車７ａの進入コース、時間、人員配置等のシュミレーションを主機１ａと、携帯端末機３ａからの情報を用いて行い、周辺に影響を出さない計画を立案し、周辺住民、関係者への説明、周知会にも利用が出来、実際の組立状況を携帯端末機３ａで撮影し、主機１ａに伝達、集積し、解体時にも利用する、組立管理方法。
【実施例３】
【００１３】  図３、４、５、６に示すように桁５ａの上架工事に於いて、事前にシュミレーションをする事で輸送車７ｃの走行計画、ジャッキアップ作業の確認が出来、携帯端末機２ｃで取得し、桁５ａ、５ｂの上架時の安全性を確認し、社会的影響の無い、安全な工事計画が出来る組立管理方法。
【実施例４】
【００１４】  図２、に示すように、クレーン６ｃの組立状況、解体状況を携帯端末機３ａ、撮影カメラ４ａ、４ｂで撮影し主機１ａに伝達し、集積、抽出された情報を、一般ユーザーの携帯端末機３ｅ、パソコン１１ｃにも現場の状況を配信する事が出来る組立管理方法。
【実施例５】
【００１５】  図５、６に示すように、桁５ｂの上架の状況をクレーン６ａ、６ｂに取り付けた撮影カメラ４ｃ、４ｄ、携帯電話３ｂで撮影し主機１ａに伝達し、集積、抽出された情報を、一般ユーザーのパソコン１１ｄ、携帯端末機２ｃにも現場の状況を配信する事が出来る組立管理方法。
【産業上の利用可能性】
【００１６】  本発明は、構造物である橋梁、プラントの搭載、大型機械、大型クレーン等の現地組立、解体に於いて、過去の実施事例を利用した、シュミレーション、組立計画、近隣説明等に用いる事できる。
【図面の簡単な説明】
【００１７】
【図１】実施例１を示す模式図である。
【図２】実施例２を示す模式図である。
【図３】実施例３を示すシュミレーション模式図である。
【図４】実施例３を示す画像表示図である。
【図５】実施例３、５を示す模式図である。
【図６】実施例３、５を示す画像表示図である。
【図７】実施例１、２、３、４、５を示す統系図である。
【図８】実施例１、２、３、４、５を示すプロセス図である。
【付号の説明】
【００１８】１ａ、・・主機
２ａ、２ｂ、・・・携帯端末機
３ａ、３ｂ、３ｃ、３ｄ、３ｅ・・・携帯電話
４ａ、４ｂ、４ｃ、４ｄ・・・撮影カメラ
５ａ、５ｂ、・・・桁
６ａ、６ｂ、６ｃ、・・・クレーン車
７ａ、７ｂ、７ｃ・・・輸送車
８ａ、８ｂ・・・部材
９ａ、９ｂ・・橋脚
１１ａ、１１ｂ、１１ｃ、１１ｄ・・パソコン
２１ａ、２１ｂ、２１ｃ・・・作業員
２２・・リフター
４１・・・ストック資料
４２・・・計画立案
４３・・・組立計画
４４・・・現地組立施工
４５・・・完成
４６・・・集積、抽出
【図１】
2008310781.tif 000003
【図２】
2008310781.tif 000004
【図３】
2008310781.tif 000005
【図４】
2008310781.tif 000006
【図５】
2008310781.tif 000007
【図６】
2008310781.tif 000008
【図７】
2008310781.tif 000009
【図８】
2008310781.tif 000010